(57)【特許請求の範囲】
【請求項１】
移動端末において実行される道路状況提示方法であって、
移動端末のプリセット機能に対するトリガーコマンドを受信した場合、前記移動端末の真っ正面の予め設定された半径の扇形領域である所定範囲内の路面状況を検出し、前記移動端末と障害物との間の距離が予め設定された半径より小さく、且つ障害物と前記移動端末の所在する位置とがなす角が予め設定された角度より小さい場合、所定範囲内の路面に路上障害物が存在すると確定することと、
前記所定範囲内の路面に路上障害物が存在する場合、提示情報を出力することと、
を含むことを特徴とする道路状況提示方法。
【請求項２】
前記所定範囲内の路面状況を検出することは、
前記所定範囲内の路面における障害物の面積を確定し、面積が第１の所定閾値より大きい障害物が存在する場合、前記所定範囲内の路面に路上障害物が存在すると確定するステップを含むことを特徴とする請求項１に記載の道路状況提示方法。
【請求項３】
前記所定範囲内の路面に路上障害物が存在する場合、提示情報を出力することは、
予め記憶された第１の音声提示ファイルを取得し、前記第１の音声提示ファイルを再生することと、又は、
前記所定範囲内の路面状況に基づいて、第２の音声提示ファイルを生成し、前記第２の音声提示ファイルを再生することと、又は、
前記所定範囲内の路面状況及び前記移動端末の移動速度に基づいて、第３の音声提示ファイルを生成し、前記第３の音声提示ファイルを再生することと、又は、
インジケーターランプを所定頻度に応じて点滅させるように、所定頻度に応じて前記インジケーターランプのオンオフ状態を制御することと、
を含むことを特徴とする請求項１に記載の道路状況提示方法。
【請求項４】
前記所定範囲内の路面状況と前記移動端末の移動速度に基づいて、第３の音声提示ファイルを生成することは、
前記移動端末の移動速度を取得することと、
前記移動端末と距離が最も近い路上障害物との間の距離及び前記移動速度に基づいて、ユーザが前記路上障害物に到達する必要な時間を算出することと、
前記時間が第２の所定閾値より小さい場合、前記時間及び前記移動速度に基づいて、第３の音声提示ファイルを生成することと、
を含むことを特徴とする請求項３に記載の道路状況提示方法。
【請求項５】
前記移動端末のプリセットプリセット機能に対するトリガーコマンドを受信した場合、所定範囲内の路面状況を検出することは、
移動端末の懐中電灯アプリケーションに対するトリガーコマンドを受信した場合、前記移動端末に配置されるレンジファインダーを起動し、所定範囲内の路面状況を検出することを含むことを特徴とする請求項１に記載の道路状況提示方法。
【請求項６】
前記レンジファインダーは赤外線レンジファインダーとソナーファインダーを含むことを特徴とする請求項５に記載の道路状況提示方法。
【請求項７】
道路状況提示装置であって、
移動端末のプリセット機能に対するトリガーコマンドを受信した場合、前記移動端末の真っ正面の予め設定された半径の扇形領域である所定範囲内の路面状況を検出する検出モジュールと、
前記所定範囲内の路面に路上障害物が存在する場合、提示情報を出力する出力モジュールと、
を備え、
前記検出モジュールは、
前記移動端末と障害物との間の距離が予め設定された半径より小さく、且つ障害物と前記移動端末の所在する位置とがなす角が予め設定された角度より小さい場合、所定範囲内の路面に路上障害物が存在すると確定する第１の確定サブモジュールを含むことを特徴とする道路状況提示装置。
【請求項８】
前記検出モジュールは、
前記所定範囲内の路面における障害物の面積を確定し、面積が第１の所定閾値より大きい障害物が存在する場合、前記所定範囲内の路面に路上障害物が存在すると確定する第２の確定サブモジュールを含むことを特徴とする請求項７に記載の道路状況提示装置。
【請求項９】
前記出力モジュールは、
予め記憶された第１の音声提示ファイルを取得し、前記第１の音声提示ファイルを再生する第１の再生サブモジュール、又は、
前記所定範囲内の路面状況に基づいて、第２の音声提示ファイルを生成し、前記第２の音声提示ファイルを再生する第２の再生サブモジュール、又は、
前記所定範囲内の路面状況及び前記移動端末の移動速度に基づいて、第３の音声提示ファイルを生成し、前記第３の音声提示ファイルを再生する第３の再生サブモジュール、又は、
インジケーターランプを所定頻度に応じて点滅させるように、所定頻度に応じて前記インジケーターランプのオンオフ状態を制御する制御サブモジュールを備えることを特徴とする請求項７に記載の道路状況提示装置。
【請求項１０】
前記第３の再生サブモジュールは、更に前記移動端末の移動速度を取得し、前記移動端末と距離が最も近い路上障害物との間の距離及び前記移動速度に基づいて、ユーザが前記路上障害物に到達する必要な時間を算出し、前記時間が第２の所定閾値より小さい場合、前記時間と前記移動速度に基づいて、第３の音声提示ファイルを生成することを特徴とする請求項９に記載の道路状況提示装置。
【請求項１１】
前記検出モジュールは、移動端末の懐中電灯アプリケーションに対するトリガーコマンドを受信した場合、前記移動端末に配置されるレンジファインダーを起動し、所定範囲内の路面状況を検出することを特徴とする請求項７に記載の道路状況提示装置。
【請求項１２】
前記レンジファインダーは赤外線レンジファインダーとソナーファインダーを含むことを特徴とする請求項１１に記載の道路状況提示装置。
【請求項１３】
移動端末であって、
プロセッサと、
プロセッサにより実行可能なコマンドを記憶するためのメモリーと、を備え、
前記プロセッサは、
移動端末のプリセット機能に対するトリガーコマンドを受信した場合、前記移動端末の真っ正面の予め設定された半径の扇形領域である所定範囲内の路面状況を検出し、前記移動端末と障害物との間の距離が予め設定された半径より小さく、且つ障害物と前記移動端末の所在する位置とがなす角が予め設定された角度より小さい場合、所定範囲内の路面に路上障害物が存在すると確定し、
前記所定範囲内の路面に路上障害物が存在する場合、提示情報を出力することを特徴とする移動端末。
【発明の詳細な説明】
【技術分野】
【０００１】
本願は、出願番号がＣＮ２０１５１０４００５６０．０であり、出願日が２０１５年０７月０９日である中国特許出願に基づいて提出され、当該中国特許出願の優先権を主張し、当該中国特許出願の全ての内容をここで参照として本願に援用される。
【０００２】
本発明は端末技術分野に関し、特に道路状況提示方法及び装置に関する。
【背景技術】
【０００３】
科学技術の発展に伴い、移動端末が実現可能な機能は益々多くなってくる。ユーザが夜に歩く場合、夜の道路状況を知る必要がある。現在では道路状況提示方法について移動端末のフラッシュランプを介して路面を照明することで、ユーザはその光を利用して路面状況を観察し、道路状況を知る目的を実現する。フラッシュランプによる光のみで道路状況を検出し、フラッシュランプによる光の照射範囲が通常小さく、路面を効果的に照明できないため、ユーザが道路上を歩く時に路上障害物に起因して転んで負傷しやすい。
【発明の概要】
【発明が解決しようとする課題】
【０００４】
上記欠陥に鑑み、現在の道路状況に注意を払うようにユーザに提示するため、現時点で道路状況を提示する方法が緊急に必要とされる。
【課題を解決するための手段】
【０００５】
本発明は、従来技術に存在した問題を克服するために、道路状況提示方法及び装置を提供する。
【０００６】
本発明の実施例に係る第１の態様では、
移動端末のプリセット機能に対するトリガーコマンドを受信した場合、所定範囲内の路面状況を検出することと、
前記所定範囲内の路面に路上障害物が存在する場合、提示情報を出力することと、
を含む道路状況提示方法を提供している。
【０００７】
第１の態様の上で、第１の態様の第１種の可能な実現形態では、所定範囲内の路面状況を検出することは、
前記移動端末と距離が最も近い障害物との間の距離を確定し、前記距離が前記所定範囲内にある場合、前記所定範囲内の路面に路上障害物が存在すると確定するステップ、及び前記所定範囲内の路面における障害物の面積を確定し、面積が第１の所定閾値より大きい障害物が存在する場合、前記所定範囲内の路面に路上障害物が存在すると確定するステップのうちの一種又は２種を含む。
【０００８】
第１の態様の上で、第１の態様の第２種の可能な実現形態では、前記所定範囲内の路面に路上障害物が存在する場合、提示情報を出力することは、
予め記憶された第１の音声提示ファイルを取得し、前記第１の音声提示ファイルを再生することと、又は、
前記所定範囲内の路面状況に基づいて、第２の音声提示ファイルを生成し、前記第２の音声提示ファイルを再生することと、又は、
前記所定範囲内の路面状況及び前記移動端末の移動速度に基づいて、第３の音声提示ファイルを生成し、前記第３の音声提示ファイルを再生することと、又は、
インジケーターランプを所定頻度に応じて点滅させるように、所定頻度に応じて前記インジケーターランプのオンオフ状態を制御することと、
を含む。
【０００９】
第１の態様の第２種の可能な実現形態の上で、第１の態様の第３種の可能な実現形態では、前記所定範囲内の路面状況と前記移動端末の移動速度に基づいて、第３の音声提示ファイルを生成することは、
前記移動端末の移動速度を取得することと、
前記移動端末と距離が最も近い路上障害物との間の距離及び前記移動速度に基づいて、前記ユーザが前記路上障害物に到達する必要な時間を算出することと、
前記時間が第２の所定閾値より小さい場合、前記時間及び前記移動速度に基づいて、第３の音声提示ファイルを生成することと、を含む。
【００１０】
第１の態様の上で、第１の態様の第４種の可能な実現形態では、前記移動端末のプリセット機能に対するトリガーコマンドを受信した場合、所定範囲内の路面状況を検出することは、
移動端末の懐中電灯アプリケーションに対するトリガーコマンドを受信した場合、前記移動端末に配置されるレンジファインダーを起動し、所定範囲内の路面状況を検出することを含む。
【００１１】
プリセット機能第１の側面の第４種の可能な実現形態に基づいて、第１の側面の第５種の可能な実現形態では、前記レンジファインダーは赤外線レンジファインダーとソナーファインダーを含む。
【００１２】
本発明の実施例に係る第２の態様は、
道路状況提示装置であって、
移動端末のプリセット機能に対するトリガーコマンドを受信した場合、所定範囲内の路面状況を検出する検出モジュールと、
前記所定範囲内の路面に路上障害物が存在する場合、提示情報を出力する出力モジュールと、
を備える道路状況提示装置を提供している。
【００１３】
第２の態様に基づいて、第２の態様の第１種可能な実現形態では、前記検出モジュールは、
前記移動端末と距離が最も近い障害物との間の距離を確定し、前記距離が前記所定範囲内にある場合、前記所定範囲内の路面に路上障害物が存在すると確定する第１の確定サブモジュール、及び前記所定範囲内の路面における障害物の面積を確定し、面積が第１の所定閾値より大きい障害物が存在する場合、前記所定範囲内の路面に路上障害物が存在すると確定する第２の確定サブモジュールのうちの１種又は２種を含む。
【００１４】
第２の態様に基づいて、第２の態様の第２種の可能な実現形態では、前記出力モジュールは、
予め記憶された第１の音声提示ファイルを取得し、前記第１の音声提示ファイルを再生する第１の再生サブモジュール、又は、
前記所定範囲内の路面状況に基づいて、第２の音声提示ファイルを生成し、前記第２の音声提示ファイルを再生する第２の再生サブモジュール、又は、
前記所定範囲内の路面状況及び前記移動端末の移動速度に基づいて、第３の音声提示ファイルを生成し、前記第３の音声提示ファイルを再生する第３の再生サブモジュール、又は、
インジケーターランプを所定頻度に応じて点滅させるように、所定頻度に応じて前記インジケーターランプのオンオフ状態を制御する制御サブモジュールを備える。
【００１５】
第２の態様の第２種の可能な実現形態に基づいて、第２の態様の第３種の可能な実現形態では、前記第３の再生サブモジュールは、更に前記移動端末の移動速度を取得し、前記移動端末と距離が最も近い路上障害物との間の距離及び前記移動速度に基づいて、前記ユーザが前記路上障害物に到達する必要な時間を算出し、前記時間が第２の所定閾値より小さい場合、前記時間と前記移動速度に基づいて、第３の音声提示ファイルを生成する。
【００１６】
第２の態様に基づいて、第２の態様の第４種の可能な実現形態では、前記検出モジュールは、移動端末の懐中電灯アプリケーションに対するトリガーコマンドを受信した場合、前記移動端末に配置されるレンジファインダーを起動し、所定範囲内の路面状況を検出する。
【００１７】
第２の態様の第４種の可能な実現形態に基づいて、第２の態様の第５種の可能な実現形態では、前記レンジファインダーは赤外線レンジファインダーとソナーファインダーを含む。
【００１８】
本発明の実施例により示された第３の態様は、
移動端末であって、
プロセッサと、
プロセッサにより実行可能なコマンドを記憶するためのメモリーと、を備え、
前記プロセッサは、
移動端末のプリセット機能に対するトリガーコマンドを受信した場合、所定範囲内の路面状況を検出し、
前記所定範囲内の路面に路上障害物が存在する場合、提示情報を出力する移動端末を提供している。
【発明の効果】
【００１９】
本発明の実施例により提供される技術的手段による有益な効果は、移動端末のプリセット機能に対するトリガーコマンドを受信した場合、所定範囲内の路面状況を検出し、所定範囲内の路面に路上障害物が存在する場合、提示情報を出力する。移動端末の所定範囲内の路面状況を自動的に検出することができるため、ユーザへより簡単な道路状況検出法を提供する。更に、検出結果に基づいて提示情報を出力して路面状況に注意を払うようにユーザに提示するため、ユーザの安全を確保し、ユーザの路上障害物に起因する負傷を避けることができることである。
【００２０】
理解すべきことは、以上の一般的な説明と後の詳細な説明は例示的なものに過ぎず、本発明を限定するものではない。
【図面の簡単な説明】
【００２１】
この図面は明細書に合併されて本明細書の一部を構成し、本発明に適合する実施例を示し、明細書と共に本発明の原理を解釈するためである。
【００２２】
【図１】図１は一例示的な実施例により示された道路状況提示方法のフローチャートである。
【図２】図２は一例示的な実施例により示された道路状況提示方法のフローチャートである。
【図３】図３は一例示的な実施例により示された移動端末の所定範囲の模式図である。
【図４】図４は一例示的な実施例により示された路上障害物の模式図である。
【図５】図５は一例示的な実施例により示された路上障害物の模式図である。
【図６】図６は一例示的な実施例により示された道路状況提示装置の構造模式図である。
【図７】図７は例示的な実施例により示された移動端末を示すブロック図である。
【発明を実施するための形態】
【００２３】
ここで例示的な実施例について詳しく説明し、その実施例は図面に示す通りである。下記の説明が図面に関わる時、別途に表示されない限り、異なる図面における同じ数字は同じ又は類似する要素を示す。以下の例示的な実施例に説明される実施形態は本発明と一致する全ての実施形態を代表するわけではない。逆に、それらは特許請求の範囲に詳細に記載された本発明の一部の態様と一致する装置と方法の例に過ぎない。
【００２４】
図１は一例示的な実施例により示された、移動端末に適用される道路状況提示方法のフローチャートである。移動端末は携帯電話、タブレットパソコン等であってもよく、本実施例は移動端末の形式を具体的に限定しない。図１に示すように、該道路状況提示方法は下記ステップを含む。
【００２５】
ステップ１０１では、移動端末のプリセット機能に対するトリガーコマンドを受信した場合、所定範囲内の路面状況を検出する。
【００２６】
ステップ１０２では、所定範囲内の路面に路上障害物が存在する場合、提示情報を出力する。
【００２７】
本発明の実施例に係る方法は、移動端末のプリセット機能に対するトリガーコマンドを受信した場合、所定範囲内の路面状況を検出し、所定範囲内の路面に路上障害物が存在する場合、提示情報を出力する。移動端末の所定範囲内の路面状況を自動的に検出することができるため、ユーザへより簡単な道路状況検出法を提供する。また、検出結果に基づいて提示情報を出力して、路面状況に注意を払うようにユーザに提示するため、ユーザの安全を確保し、ユーザの路上障害物に起因する負傷を避けることができる。
【００２８】
選択可能な実施例として、所定範囲内の路面状況を検出することは、
移動端末と距離が最も近い障害物との間の距離を確定し、距離が所定範囲内にある場合、所定範囲内の路面に路上障害物が存在すると確定するステップ、及び所定範囲内の路面上の障害物の面積を確定し、面積が第１の所定閾値より大きい障害物が存在する場合、所定範囲内の路面に路上障害物が存在すると確定するステップのうちの１種又は２種を含む。
【００２９】
選択可能な実施例として、所定範囲内の路面に路上障害物が存在する場合、提示情報を出力することは、
予め記憶された第１の音声提示ファイルを取得し、第１の音声提示ファイルを再生することと、又は、
所定範囲内の路面状況に基づいて、第２の音声提示ファイルを生成し、第２の音声提示ファイルを再生することと、又は、
所定範囲内の路面状況及び移動端末の移動速度に基づいて、第３の音声提示ファイルを生成し、第３の音声提示ファイルを再生することと、又は、
インジケーターランプを所定頻度に応じて点滅させるように、所定頻度に応じてインジケーターランプのオンオフ状態を制御することと、を含む。
【００３０】
選択可能な実施例として、所定範囲内の路面状況と移動端末の移動速度に基づいて、第３の音声提示ファイルを生成することは、
移動端末の移動速度を取得することと、
移動端末と距離が最も近い路上障害物との間の距離及び移動速度に基づいて、ユーザが路上障害物に到達する必要な時間を算出することと、
時間が第２の所定閾値より小さい場合、時間及び移動速度に基づいて、第３の音声提示ファイルを生成することと、を含む。
【００３１】
選択可能な実施例として、移動端末のプリセット機能に対するトリガーコマンドを受信した場合、所定範囲内の路面状況を検出することは、
移動端末の懐中電灯アプリケーションに対するトリガーコマンドを受信した場合、移動端末に配置されるレンジファインダーを起動し、所定範囲内の路面状況を検出することを含む。
【００３２】
選択可能な実施例として、レンジファインダーは赤外線レンジファインダーとソナーファインダーを含む。
【００３３】
上記全ての選択可能な技術案は、任意に組み合わせることにより本発明の選択可能の実施例を形成することができ、ここではその詳細な説明を省略する。
【００３４】
図２は一例示的な実施例により示された、端末に適用される道路状況提示方法のフローチャートである。図２に示すように、該実行データの調整方法は以下のステップを含む。
【００３５】
ステップ２０１では、移動端末のプリセット機能に対するトリガーコマンドを受信した場合、所定範囲内の路面状況を検出する。
【００３６】
そのうち、プリセット機能は移動端末のシステムの自己に持つ機能であってもよく、移動端末にインストールされるアプリケーションにより提供される機能であってもよく、本実施例はこれを具体的に限定しない。例えば、プリセット機能は移動端末の懐中電灯機能であってもよい。移動端末の懐中電灯を起動したと検出した場合、移動端末の所定範囲内の路面状況を検出することができる。又は、プリセット機能は、更に移動端末にインストールされる道路状況検出アプリケーションが提供する道路状況検出機能であってもよい。道路状況検出機能を起動したと検出した場合、移動端末の所定範囲内の路面状況を検出することができる。それに応じて、プリセット機能のトリガーコマンドは移動端末の懐中電灯アプリケーションのトリガーコマンドであってもよく、道路状況検出アプリケーションのトリガーコマンド等であってもよく、本実施例はこれを具体的に限定しない。
【００３７】
また、所定範囲は移動端末の真正面の予め設定された半径の扇形領域であってもよく、本実施例は所定範囲の形成方式を具体的に限定しない。扇形領域の面積の大きさを確定する予め設定された半径はニーズに応じて設定されることができ、本実施例は所定範囲の大きさを具体的に限定しない。例えば、所定範囲は図３に示すとおりである。
【００３８】
移動端末の懐中電灯アプリケーションに対するトリガーコマンドを受信した場合、所定範囲内の路面状況を検出する方式について、本実施例は具体的に限定せず、移動端末に配置されるレンジファインダーを起動し、所定範囲内の路面状況を検出する方式を含むが、これに限定されるものではない。レンジファインダーは赤外線レンジファインダーとソナーファインダーを含んでもよく、本実施例はレンジファインダーの種類を具体的に限定しない。レンジファインダーは所定範囲内の路面における路上障害物を検出し、且つ路面における路上障害物と移動端末との間の距離を測定することができる。路上障害物は路面における障害物、突出物を含んでもよく、更に路面における穴、溜り水等を含んでもよい。
【００３９】
ただし、移動端末に同時に赤外線レンジファインダーとソナーファインダーが取り付けられる場合、赤外線レンジファインダーとソナーファインダーは更に互いに組み合わせて、道路状況を検出することができ、本実施例はこれを具体的に限定しない。また、赤外線レンジファインダーとソナーファインダーを移動端末のバックカメラに取り付けてもよく、移動端末の他の位置に取り付けてもよく、本実施例はこれを具体的に限定しない。
【００４０】
ステップ２０２で、移動端末と距離が最も近い障害物との間の距離を確定する。
【００４１】
ソナーファインダーによって路面状況を検出する場合、ソナーファインダーは移動端末の真正面に音波を発射することができ、音波は障害物に当った場合返り、すなわちソナーファインダーがエコーを受信することができる。音波の空気での伝播速度が既知のものであるため、ソナーファインダーが音波を発射したからエコーを受信したまでの間隔時間も確定することができるため、移動端末と真正面の各障害物との間の距離を算出することができる。全ての算出結果から距離の最小値を選択して、移動端末と距離が最も近い障害物との間の距離を得る。赤外線レンジファインダーによって路面状況を検出する場合、移動端末と障害物との間の距離を測定する方式は上記内容を参考することができ、ここで繰り返し説明しない。
【００４２】
ステップ２０３では、距離が所定範囲内にある場合、所定範囲内の路面に路上障害物が存在すると確定する。
【００４３】
所定範囲が移動端末の真正面の予め設定された半径の扇形領域であることを例とし、距離が予め設定された半径より小さく、距離が最も近い障害物と移動端末の所在する位置とがなす角が予め設定された角度より小さい場合、距離が最も近い障害物が所定範囲内にあると確定することができ、すなわち所定範囲内の路面に路上障害物が存在すると確定することができる。距離が予め設定された半径より大きく、又は距離が最も近い障害物と移動端末の所在する位置とがなす角が予め設定された角度の以上である場合、所定範囲内に路上障害物が存在しないと確定する。
【００４４】
例えば、図４では、障害物Ａと移動端末との間の距離が扇形領域の半径より小さく、すなわち距離が予め設定された半径より小さい。障害物Ａと移動端末との間の結び線と鉛直線とがなす角ａが扇形領域の左境界線と鉛直線とがなす角ｍより小さく、すなわちなす角が予め設定された角度より小さい。従って、図４に示すように、障害物Ａが所定範囲内にあり、すなわち所定範囲内の路面に障害物が存在すると確定することができる。
【００４５】
図５では、障害物Ｂと移動端末との間の距離が扇形領域の半径より小さいが、障害物Ｂと移動端末との間の結び線と鉛直線とがなす角がｍより大きく、すなわちなす角が予め設定された角度より大きいため、図５に示すように、障害物Ｂが所定範囲内に存在しない。障害物Ｃと移動端末の所在する位置とがなす角が予め設定された角度ｍより小さいが、障害物Ｃと移動端末との間の距離が扇形領域の半径より大きいため、障害物Ｃも所定範囲内に存在しない。
【００４６】
ただし、ステップ２０２乃至２０３は主に所定範囲内の路面に路上障害物が存在するか否かを判断する過程である。もちろん、２０２乃至２０３のうちの判断方式以外、所定範囲内の路面に路上障害物が存在するか否かを判断する場合、所定範囲内の路面における障害物の面積を確定してもよく、面積が第１所定閾値より大きい障害物が存在する場合、所定範囲内の路面に路上障害物が存在すると確定する。そのうち、上記方法は主に障害物が穴である状況に適用され、第１所定閾値はニーズに応じて設定することができ、例えば０．１平方メートルであってもよく、本実施例はこれを具体的に限定しない。また、路上障害物の検出正確率を高めるために、上記所定範囲内の路面に路上障害物が存在するか否かを判断する方式を更に互いに組み合わせてもよく、本実施例はこれを具体的に限定しない。
【００４７】
ステップ２０４では、所定範囲内の路面に路上障害物が存在する場合、提示情報を出力する。
【００４８】
提示情報の出力方式について、本実施例はこれを具体的に限定せず、出力方式１、出力方式２、出力方式３、出力方式４を含むが、それに限定されない。
【００４９】
出力方式１：予め記憶した第１の音声提示ファイルを取得して、第１の音声提示ファイルを再生し、そのうち、第１の音声提示ファイルは現在の道路状況に注意を払うようにユーザに提示する。
【００５０】
例えば、第１の音声提示ファイルにおける音声内容は「現在の道路状況に注意してください」であってもよい。所定範囲内の路面に路上障害物が存在する場合、音声内容を繰り返し再生して、道路状況に注意を払うようにユーザに提示させる。
【００５１】
出力方式２：所定範囲内の路面状況に基づいて、第２の音声提示ファイルを生成し、第２の音声提示ファイルを再生する。
【００５２】
所定範囲内の路面状況に基づいて移動端末と障害物との間の距離を確定することができ、移動端末と障害物との間の距離に基づいて第２の音声提示ファイルを生成することができる。
【００５３】
例えば、所定範囲内の路面状況に基づいて、移動端末と障害物との間の距離が５メートルであると確定する。移動端末と障害物との間の距離に基づいて、第２の音声提示ファイルを生成することができる。第２の音声提示ファイルの音声内容は「前方５メートルの位置に障害物があり、ご注意してください」であってもよい。音声内容を再生することで、前方の障害物に注意を払うようにユーザに提示する。
【００５４】
出力方式３：所定範囲内の路面状況及び移動端末の移動速度に基づいて、第３の音声提示ファイルを生成し、第３の音声提示ファイルを再生する。
【００５５】
そのうち、所定範囲内の路面状況に基づいて第３の音声提示ファイルを生成する場合、移動端末の移動速度を取得することができ、移動端末と距離が最も近い路上障害物との間の距離及び移動速度に基づいて、ユーザが路上障害物に到達する必要な時間を算出し、時間が第２所定閾値より小さい場合、時間と移動速度に基づいて、減速して移動方向を変えるようにユーザに提示するための第３の音声提示ファイルを生成する。
【００５６】
例えば、第２所定閾値が５秒であることを例とする。ユーザの移動端末を持つ移動速度が２メートル／秒であり、移動端末と距離が最も近い路上障害物との間の距離が８メートルである場合、ユーザが路上障害物に到達する必要な時間が４秒であると確定することができる。算出した時間４秒が第２所定閾値５秒より小さいため、時間と移動速度に基づいて、第３の音声提示ファイルを生成する。第３の音声提示ファイルの音声内容は「現在の移動速度が２メートル／秒であり、そのまま４秒後に路上障害物に当たる可能性があり、移動速度を減速して移動方向を変えてください」であってもよい。音声内容を再生することで、路上障害物を避けるように減速して移動方向を変えるようにユーザに提示する。
【００５７】
出力方式４：インジケーターランプを所定頻度に応じて点滅させるように、所定頻度に応じてインジケーターランプのオンオフ状態を制御する。
【００５８】
例えば、インジケーターランプが移動端末におけるカメラフラッシュランプであることを例とする。所定頻度を１回／秒に設定し、すなわち１秒おきにフラッシュランプのオンオフ状態を変えることにより、フラッシュランプが一秒に１回点滅し、それによって現在の道路状況に注意を払うようにユーザに提示する。
【００５９】
もちろん、上記提示情報の出力方式以外に、更に振動、ベルの方式で路面状況に注意を払うようにユーザに提示することができ、本実施例はこれを具体的に限定しない。
【００６０】
なお、更に上記複数種の出力方式を組み合わせて道路状況に注意を払うようにユーザに提示してもよく、本実施例はこれを具体的に限定しない。例えば、移動端末は音声提示を行う場合、ユーザに感知させる可能性を高めるために、更に同時に振動し又はインジケーターランプを所定頻度で点滅させる等ができる。
【００６１】
本発明の実施例に係る方法は、移動端末のプリセット機能に対するトリガーコマンドを受信した場合、所定範囲内の路面状況を検出することは、所定範囲内の路面に路上障害物が存在する場合、提示情報を出力することにより、移動端末の所定範囲内の路面状況を自動的に検出することができるため、ユーザへより簡単な道路状況検出法を提供する。また、検出結果に基づいて提示情報を出力して路面状況に注意を払うようにユーザに提示するため、ユーザの安全を確保し、ユーザの路上障害物に起因する負傷を避けることができる。
【００６２】
図６は一例示的な実施例により示された、端末に適用される道路状況提示装置の構造模式図である。図６を参照し、当該装置は検出モジュール６０１と出力モジュール６０２を含む。
【００６３】
検出モジュール６０１は、移動端末のプリセット機能に対するトリガーコマンドを受信した場合、所定範囲内の路面状況を検出し、
出力モジュール６０２は、所定範囲内の路面に路上障害物が存在する場合、提示情報を出力する。
【００６４】
１つの実施例では、当該検出モジュール６０１は、第１の確定サブモジュールと第２の確定サブモジュールのうちの１種又は２種を含む。なお、サブモジュールは独立に存在することができ、同時に存在することもでき、本実施例はこれを具体的に限定しない。
【００６５】
第１の確定サブモジュールは、移動端末と距離が最も近い障害物との間の距離を確定し、距離が所定範囲内にある場合、所定範囲内の路面に路上障害物が存在すると確定し、及び第２の確定サブモジュールは、所定範囲内の路面における障害物の面積を確定し、面積が第１の所定閾値より大きい障害物が存在する場合、所定範囲内の路面に路上障害物が存在すると確定する。
【００６６】
１つの実施例では、該出力モジュール６０２は第１の再生サブモジュール又は第２の再生サブモジュール又は第３の再生サブモジュール又は制御サブモジュールを備える。
【００６７】
第１の再生サブモジュールは、予め記憶された第１の音声提示ファイルを取得し、第１の音声提示ファイルを再生する、又は、
第２の再生サブモジュールは、所定範囲内の路面状況に基づいて、第２の音声提示ファイルを生成し、第２の音声提示ファイルを再生する、又は、
第３の再生サブモジュールは、所定範囲内の路面状況及び移動端末の移動速度に基づいて、第３の音声提示ファイルを生成し、第３の音声提示ファイルを再生する、又は、
制御サブモジュールは、インジケーターランプを所定頻度に応じて点滅させるように、所定頻度に応じてインジケーターランプのオンオフ状態を制御する。
【００６８】
１つの実施例では、インジケーターランプを制御して所定頻度で点滅させる場合、更に同時に第１の音声提示ファイル、第２の音声提示ファイル又は第３の音声提示ファイルを再生してもよい。すなわち、出力モジュール６０２は第１の再生サブモジュール、第２の再生サブモジュール、第３の再生サブモジュールのうちのいずれか一つと、制御サブモジュールとを含んでもよく、本発明はこれを具体的に限定しない。
【００６９】
１つの実施例では、該出力モジュール６０２は移動端末の移動速度を取得し、移動端末と距離が最も近い路上障害物との間の距離及び移動速度に基づいて、ユーザが路上障害物に到達する必要な時間を算出し、時間が第２所定閾値より小さい場合、時間と移動速度に基づいて、第３の音声提示ファイルを生成する。
【００７０】
１つの実施例では、該検出モジュール６０１は移動端末の懐中電灯アプリケーションに対するトリガーコマンドを受信した場合、移動端末に配置されるレンジファインダーを起動し、所定範囲内の路面状況を検出する。
【００７１】
１つの実施例では、レンジファインダーは赤外線レンジファインダーとソナーファインダーを含む。
【００７２】
本発明の実施例に係る装置は、移動端末のプリセット機能に対するトリガーコマンドを受信した場合、所定範囲内の路面状況を検出し、所定範囲内の路面に路上障害物が存在する場合、提示情報を出力することにより、移動端末の所定範囲内の路面状況を自動的に検出することができるため、ユーザへより簡単な道路状況検出法を提供する。更に、検出結果に基づいて提示情報を出力して、路面状況に注意を払うようにユーザに提示するため、ユーザの安全を確保し、ユーザの路上障害物に起因する負傷を避けることができる。
【００７３】
図７は一例示的な実施例により示された移動端末７００のブロック図である。例えば、移動端末７００は、携帯電話、コンピュータ、デジタル放送端末、メッセージ送受信装置、ゲームコンソール、タブレット端末、医療機器、フィットネス機器、パーソナルデジタルアシスタント等であってもよい。
【００７４】
図７を参照して、移動端末７００は、処理部７０２、メモリー７０４、電源部７０６、マルチメディア部７０９、オーディオ部７１０、入力／出力（Ｉ／Ｏ）インターフェース７１２、センサー部７１４、及び通信部７１６の一つ又は複数の部材を含むことができる。
【００７５】
処理部７０２は、一般的に移動端末７００の全体的操作、例えば、表示、電話の呼び出し、データ通信、カメラ操作と記録操作に係る操作を制御する。処理部品７０２は、上記方法の全部又は一部のステップを完成するように、コマンドを実行する一つ又は複数のプロセッサ９２０を含むことができる。なお、処理部品７０２は、その他の部材との間のインタラクションを行うための一つ又は複数のモジュールを含むことができる。例えば、処理部７０２は、マルチメディア部７０９と処理部７０２とのインタラクションを行うマルチメディアモジュールを含むことができる。
【００７６】
メモリー７０４は、移動端末７００における操作を支持するように様々な種類のデータを記憶するように構成される。これらのデータの例は、移動端末７００に操作される全てのアプリケーションプログラム又は方法のコマンド、連絡先データ、電話帳データ、メッセージ、画像、ビデオなどを含む。メモリー７０４は、全ての種類の揮発性又は不揮発性メモリー又はそれらの組み合わせ、例えば、スタティックランダムアクセスメモリー（ＳＲＡＭ、ｓｔａｔｉｃ  ｒａｎｄｏｍ  ａｃｃｅｓｓ  ｍｅｍｏｒｙ）、電気的消去可能なプログラム可能な読み取り専用メモリー（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、消去可能なプログラム可能な読み取り専用メモリー（ＥＰＲＯＭ、Ｅｒａｓａｂｌｅ  Ｐｒｏｇｒａｍｍａｂｌｅ  Ｒｅａｄ  Ｏｎｌｙ  Ｍｅｍｏｒｙ）、プログラム可能な読み取り専用メモリー（ＰＲＯＭ、Ｐｒｏｇｒａｍｍａｂｌｅ  Ｒｅａｄ  Ｏｎｌｙ  Ｍｅｍｏｒｙ）、読み取り専用メモリー（ＲＯＭ、Ｒｅａｄ  Ｏｎｌｙ  Ｍｅｍｏｒｙ）、磁気メモリー、フラッシュメモリー、磁気ディスク又は光ディスクにより実現することができる。
【００７７】
電源部７０６は、移動端末７００の様々な部材へ電力を提供する。電源部７０６は、電源管理システム、一つ又は複数の電源、及びその他の移動端末７００に対する電力の生成、管理及び供給に関連する部材を含むことができる。
【００７８】
マルチメディア部７０９は、移動端末７００とユーザの間の出力インターフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、ユーザからの入力信号を受信するように、スクリーンがタッチパネルとして実現してもいい。タッチパネルは、タッチ、スワイプ及びタッチパネルに対するジェスチャーを検知するための一つ又は複数のタッチセンサーを含む。タッチセンサーは、タッチ又はスワイプ動作の境界を検知するのみでなく、上記タッチ又はスワイプの動作に関連する持続時間及び圧力を検出することができる。一部の実施例において、マルチメディア部７０９は、フロントカメラ及び／又はバックカメラを含む。移動端末７００が操作モードにある場合、例えば、撮影モード又はビデオモードである場合、フロントカメラ及び／又はバックカメラは外部からのマルチメディアデータを受信することができる。各フロントカメラ及びバックカメラは、固定された光学レンズシステムであり、又は焦点距離と光学ズーム能力を有してもいい。
【００７９】
オーディオ部７１０は、オーディオ信号を出力及び／又は入力するように構成される。例えば、オーディオ部７１０は、マイクロフォン（ＭＩＣ）を含んでいる。マイクロフォンは、移動端末７００が操作モードにある場合、例えば、呼び出しモード、記録モード、音声認識モードにある場合、外部のオーディオ信号を受信するように構成される。受信されたオーディオ信号は、さらにメモリー７０４に記憶され、又は通信部７１６を介して送信される。一部の実施例において、オーディオ部７１０は、さらにオーディオ信号を出力するスピーカーを含んでいる。
【００８０】
Ｉ／Ｏインターフェース７１２は、処理部７０２と周辺インターフェースモジュールの間にインターフェースを提供する。上記周辺インターフェースモジュールは、キーボード、クリックホイール、ボタンなどであってもよい。これらのボタンは、ホームボタン、ボリュームボタン、スタートボタン及びロックボタンを含んでもいいが、それに限定されない。
【００８１】
センサー部７１４は、移動端末７００へ各方面からの状態評価を提供する一つ又は複数のセンサーを含んでいる。センサー部７１４は、例えば、移動端末７００のオン／オフ状態、例えば移動端末７００のディスプレイ及びキーパッドである部材の相対的位置決めを検出することができ、さらに移動端末７００又は移動端末７００の一つの部材の位置変化、ユーザと移動端末７００の接触の有無、移動端末７００の方位又は加速／減速、及び移動端末７００の温度変化を検出することができる。センサー部７１４は、物理的接触がない時、近傍物体の存在を検出する近接センサーを含んでいるように構成される。センサー部７１４は、さらに、例えばＣＭＯＳ又はＣＣＤイメージセンサーなどの、イメージングアプリケーションに用いられる光学センサーを含むことができる。一部の実施例において、該センサー部７１４は、さらに加速度センサー、ジャイロセンサー、磁気センサー、圧力センサー又は温度センサーを含むことができる。
【００８２】
通信部７１６は、移動端末７００とその他の装置との間の有線又は無線方式による通信にことに用いられるように構成される。移動端末７００は、通信標準に基づく例えば、Ｗｉ−Ｆｉ、２Ｇ又は３Ｇ、又はそれらの組み合わせの無線ネットワークにアクセスすることができる。一例示的な実施例において、通信部７１６は、放送チャネルを介して外部放送管理システムからの放送信号又は放送関連情報を受信する。一例示的な実施例において、通信部７１６は、さらに狭域通信を促進するための近距離無線通信（ＮＦＣ）モジュールを含む。例えば、ＮＦＣモジュールにおいて、無線周波数識別（ＲＦＩＤ）技術、赤外線データ協会（ＩｒＤＡ）技術、超広帯域（ＵＷＢ）技術、ブルートゥース（ＢＴ）及びその他の技術により実現することができる。
【００８３】
一例示的な実施例において、移動端末７００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部材により実現され、上記図１及び図２に対応する実施例に提供された道路状況提示方法を実行するためである。
【００８４】
本発明の実施例に係る移動端末は、移動端末のプリセット機能に対するトリガーコマンドを受信した場合、所定範囲内の路面状況を検出し、所定範囲内の路面に路上障害物が存在する場合、提示情報を出力する。移動端末の所定範囲内の路面状況を自動的に検出することができるため、ユーザへより簡単な道路状況検出法を提供する。また、検出結果に基づいて提示情報を出力して、路面状況に注意を払うようにユーザに提示するため、ユーザの安全を確保し、ユーザの路上障害物に起因する負傷を避けることができる。
【００８５】
例示的な実施例では、コマンドを含む非一時的なコンピュータ可読記憶媒体、例えばコマンドを含むメモリー７０４を更に提供しており、上記方法を実現するように、上記コマンドは移動端末７００のプロセッサ７２０により実行されてもよい。例えば、上記非一時的なコンピュータ可読記憶媒体は、ＲＯＭ、ランダムアクセスメモリー（ＲＡＭ）、ＣＤ−ＲＯＭ、磁気テープ、フロッピーディスク及び光データ記憶装置等であってもよい。
【００８６】
非一時的なコンピュータ可読記憶媒体は、記憶媒体におけるコマンドが移動端末のプロセッサにより実行されることで、移動端末に路面状況提示情報方法を実行させることができ、当該方法は、
移動端末のプリセット機能に対するトリガーコマンドを受信した場合、所定範囲内の路面状況を検出することと、
所定範囲内の路面に路上障害物が存在する場合、提示情報を出力することと、を含む。
【００８７】
本発明の実施例に係るコンピュータ可読記憶媒体は、移動端末のプリセット機能に対するトリガーコマンドを受信した場合、所定範囲内の路面状況を検出し、所定範囲内の路面に路上障害物が存在する場合、提示情報を出力する。移動端末の所定範囲内の路面状況を自動的に検出することができるため、ユーザへより簡単な道路状況検出法を提供する。更に、検出結果に基づいて提示情報を出力して、路面状況に注意を払うようにユーザに提示するため、ユーザの安全を確保し、ユーザの路上障害物に起因する負傷を避けることができる。
【００８８】
当業者であれば、明細書を考慮しここに開示された発明を実践した後、本発明のその他の実施態様を容易に想到できる。本願は、本発明の如何なる変形、用途又は適応的変化を含むためのものであり、これらの変形、用途又は適応的変化は本発明の一般的な原理に準じ、本発明の開示されていない当該技術分野における周知知識又は慣用の技術手段を含む。明細書と実施例は例示的なものに過ぎず、本発明の実際の範囲と精神は特許請求の範囲により与えられる。
【００８９】
ここで理解すべきことは、本発明は既に上記のように説明され、図面に示された精確な構成に限定されず、その範囲を逸脱しない限りにおいて様々な修正や変更を行うことができる。本発明の範囲は特許請求の範囲のみにより限定される。
【図１】
0006290514.tif 000002
【図２】
0006290514.tif 000003
【図３】
0006290514.tif 000004
【図４】
0006290514.tif 000005
【図５】
0006290514.tif 000006
【図６】
0006290514.tif 000007
【図７】
0006290514.tif 000008